(57)【要約】【課題】  導体１ライン毎のマイナーループを抑制し、コイルの磁束結合を高める。【解決手段】  所要部材を積層して作製される積層コモンモードフィルタにおいて、コイルを構成する導体の周辺部分に、コモンモードフィルタにおける使用周波数帯において、磁路を形成するフェライト材の共鳴周波数よりも低い周波数で共鳴を迎えるフェライト材３を設けた。【選択図】  図１
2005142793.tif 000002
【特許請求の範囲】
【請求項１】
所要部材を積層して作製される積層コモンモードフィルタにおいて、
コイルを構成する導体の周辺部分に、コモンモードフィルタにおける使用周波数帯において、磁路を形成するフェライト材の共鳴周波数よりも低い周波数で共鳴を迎えるフェライト材を設けたことを特徴とする積層コモンモードフィルタ。
【請求項２】
複数枚のフェライトシート上に、一次コイル用端子電極が積層され、この一次コイル用端子電極の上に絶縁用のフェライトシートを介して一次コイルが積層されると共に前記一次コイル用端子電極と前記一次コイルとは前記フェライトシートに形成されたビアホールを介して接続されており、
前記一次コイルの上に、コモンモードフィルタにおける使用周波数帯において、磁路を形成するフェライト材の共鳴周波数よりも低い周波数で共鳴を迎えるフェライト材層が積層されており、
前記フェライト材層の上に二次コイルが積層され、この二次コイルの上に絶縁用のフェライトシートを介して二次コイル用端子電極が積層されると共に前記二次コイル用端子電極と前記二次コイルとは前記フェライトシートに形成されたビアホールを介して接続されており、
前記二次コイル用端子電極の上に、複数枚のフェライトシートが積層されていることを特徴とする積層コモンモードフィルタ。
【請求項３】
前記一次コイル及び前記二次コイルは、平面内において渦巻状に巻回されて構成されていることを特徴とする請求項２に記載の積層コモンモードフィルタ。
【請求項４】
前記フェライト材層の中央部分であって、前記一次コイルと前記二次コイルの渦巻の中心付近には、窓が穿設されていることを特徴とする請求項２に記載の積層コモンモードフィルタ。
【請求項５】
所要部材を積層して作製される積層コモンモードフィルタにおいて、
第１のコイルと第２のコイルを、積層方向に螺旋状となるように導体を積層して構成し、前記第１のコイルと第２のコイルを構成する各導体の間に、コモンモードフィルタにおける使用周波数帯において、磁路を形成するフェライト材の共鳴周波数よりも低い周波数で共鳴を迎えるフェライト材を設けたことを特徴とする積層コモンモードフィルタ。
【請求項６】
所要部材を積層して作製される積層コモンモードフィルタにおいて、
第１のコイルと第２のコイルを、積層方向と直交する方向に螺旋状となるように導体を積層して構成し、前記第１のコイルと第２のコイルを構成する各導体の間に、コモンモードフィルタにおける使用周波数帯において、磁路を形成するフェライト材の共鳴周波数よりも低い周波数で共鳴を迎えるフェライト材を設けたことを特徴とする積層コモンモードフィルタ。
【発明の詳細な説明】
【技術分野】
【０００１】
この発明は、所要部材を積層して作製される積層コモンモードフィルタに関するものである。
【背景技術】
【０００２】
現在、ＵＳＢ（Universal Serial Bus）やＩＥＥＥ（The Institute of Electrical Electronics Engineers, Inc.）１３９４等に使用されているコモンモードフィルタとしては、巻線型が主流である。しかしながら、巻線型のコモンモードフィルタでは、素子の実装面積や高さを更に小型化することは困難となってきており、要求される特性を得るために精密巻線技術が必須である。
【０００３】
積層コモンモードフィルタとしては、１チップ内に２つ以上のコイルを形成する構造が基本的である。そして、従来の積層コモンモードフィルタでは、複数のコイル間にフェライト（磁性体）を介装させる構造が通例である。
【０００４】
上記の構成に係る積層コモンモードフィルタでは、例えば図１５に示される内部を透視して示す斜視図の如く、一次コイル１００と二次コイル２００は、縦方向に巻線が巻回されている。そして、平面方向から内部を透視して示すと、図１６に示すようになる。
【０００５】
図１６のＡ−Ａ’線で断面図を作製すると、図１７に示すようになり、一次コイル１００と二次コイル２００を構成する導体１０１、２０１は、その周囲が同一組成のフェライトにより覆われており、個々の導体１０１、２０１にマイナーループ３００が発生する。このために、一次コイル１００と二次コイル２００の磁束３１０は、結合が弱い状態となる。
【０００６】
また、Ｕ字状やＶ字状の断面を有する２つの導体を、開口部が噛み合うように配置し、その導体間に非磁性層を形成することにより結合係数の高い積層コモンモードチョークコイルが特許文献１に示されている。
【０００７】
【特許文献１】特開２０００−２３５９１９号公報
【発明の開示】
【発明が解決しようとする課題】
【０００８】
本発明の課題はコモンモードフィルタにおいて、複数のコイルにおける導体の１ライン毎に発生するマイナーループを抑制し、コイルの磁束結合を高めることができる積層コモンモードフィルタを提供することである。
【課題を解決するための手段】
【０００９】
本発明に係る積層コモンモードフィルタは、所要部材を積層して作製される積層コモンモードフィルタにおいて、コイルを構成する導体の周辺部分に、コモンモードフィルタにおける使用周波数帯において、磁路を形成するフェライト材の共鳴周波数よりも低い周波数で共鳴を迎えるフェライト材を設けたことを特徴とする。
【００１０】
本発明に係る積層コモンモードフィルタは、複数枚のフェライトシート上に、一次コイル用端子電極が積層され、この一次コイル用端子電極の上に絶縁用のフェライトシートを介して一次コイルが積層されると共に前記一次コイル用端子電極と前記一次コイルとは前記フェライトシートに形成されたビアホールを介して接続されており、前記一次コイルの上に、コモンモードフィルタにおける使用周波数帯において、磁路を形成するフェライト材の共鳴周波数よりも低い周波数で共鳴を迎えるフェライト材層が積層されており、前記フェライト材層の上に二次コイルが積層され、この二次コイルの上に絶縁用のフェライトシートを介して二次コイル用端子電極が積層されると共に前記二次コイル用端子電極と前記二次コイルとは前記フェライトシートに形成されたビアホールを介して接続されており、前記二次コイル用端子電極の上に、複数枚のフェライトシートが積層されていることを特徴とする。
【００１１】
本発明に係る積層コモンモードフィルタは、前記一次コイル及び前記二次コイルは、平面内において渦巻状に巻回されて構成されていることを特徴とする。
【００１２】
本発明に係る積層コモンモードフィルタは、前記フェライト材層の中央部分であって、前記一次コイルと前記二次コイルの渦巻の中心付近には、窓が穿設されていることを特徴とする。
【００１３】
本発明に係る積層コモンモードフィルタは、所要部材を積層して作製される積層コモンモードフィルタにおいて、第１のコイルと第２のコイルを、積層方向に螺旋状となるように導体を積層して構成し、前記第１のコイルと第２のコイルを構成する各導体の間に、コモンモードフィルタにおける使用周波数帯において、磁路を形成するフェライト材の共鳴周波数よりも低い周波数で共鳴を迎えるフェライト材を設けたことを特徴とする。
【００１４】
本発明に係る積層コモンモードフィルタは、所要部材を積層して作製される積層コモンモードフィルタにおいて、第１のコイルと第２のコイルを、積層方向と直交する方向に螺旋状となるように導体を積層して構成し、前記第１のコイルと第２のコイルを構成する各導体の間に、コモンモードフィルタにおける使用周波数帯において、磁路を形成するフェライト材の共鳴周波数よりも低い周波数で共鳴を迎えるフェライト材を設けたことを特徴とする。
【発明の効果】
【００１５】
本発明に係るコモンモードフィルタは、複数のコイルにおける導体の１ライン毎に発生するマイナーループを抑制し、コイルの磁束結合を高めることができ、巻線タイプのコモンモードフィルタにより得られるような効率的な磁束の流れを得ることができる。
【発明を実施するための最良の形態】
【００１６】
巻線タイプのコモンモードフィルタにより得られるような磁束の流れを、積層タイプのコモンモードフィルタにおいて実現した。以下添付図面を参照して、本発明に係るコモンモードフィルタの実施例を説明する。各図において、同一の構成要素には同一の符号を付して重複する説明を省略する。
【実施例１】
【００１７】
第１の実施例に係るコモンモードフィルタは、図１に示すように、平面内において渦巻状に巻回された一次コイル１と、同じく平面内において渦巻状に巻回された二次コイル２とを備える。
【００１８】
上記一次コイル１と二次コイル２との間には、低周波材層３が介装されている。低周波材層３は、ほぼ正方形のシートであり、中央部分であって、上記一次コイル１と上記二次コイル２の渦巻の中心付近には、四角の窓４が穿設されている。ここに、低周波材とは、コモンモードフィルタにおける使用周波数帯（通例、数ＫＨｚ〜３００ＭＨｚ）において、磁路を形成するフェライト材の共鳴周波数よりも低い周波数で共鳴を迎えるフェライト材を指すものとする。
【００１９】
上記共鳴周波数について説明する。フェライトは金属強磁性体と比べて一般的に比抵抗が高いので、印加する交流磁界の高周波領域まで高い透磁率を示すことが知られている。しかし、交流磁界の周波数を高くして行くと、エネルギー損失が生じ、透磁率の変化が見られる。ここに、エネルギー損失の原因は、渦電流の発生の他に、磁壁共鳴、回転磁化共鳴、磁気余効、磁壁の移動などである。
【００２０】
本発明において低周波材として用いるフェライトの一例と、磁路を形成するフェライトの一例について透磁率変化を示すと、図４のようになる。この図４に見られる透磁率の低下は、次の理由によると考えられている。即ち、磁壁の移動速度や磁化回転速度は有限であり、ある周波数のところにおいて共鳴が生じる。そして、この共鳴周波数よりも高い周波数においては磁界の変化に追従できないために、磁化に寄与しなくなることから透磁率の低下が生じる。本発明では、図４に示すような異なる透磁率変化を呈するフェライトを用いることを特徴としている。この図４に示す特性のフェライトの中において、曲線Ｌにより示される特性の材料を低周波材として用い、曲線Ｈにより示される特性の材料を磁路に用いるフェライト（高周波材とも称する）としている。
【００２１】
本例では、低周波材として、Ｎｉ−Ｃｕ−Ｚｎフェライトを採用した。そして、その組成は、Ｆｅ2 Ｏ3 が５０．４５ｍｏｌ％、ＮｉＯが１３．４６ｍｏｌ％、ＣｕＯが１０．２９ｍｏｌ％、ＺｎＯが２５．８０ｍｏｌ％である。
【００２２】
上記のように、積層コモンモードフィルタの構造中におけるコイルを構成する導体の周辺部分に、通常においては低周波帯域で使用されるＮｉ−Ｃｕ−Ｚｎフェライトを用いた理由としては、次の２点である。
【００２３】
現状において、導体の周辺部分に設ける材料として最も妥当性がある材料はセラミックスであると考えられる。しかしながら、セラミックスを採用した場合には、フェライト−セラミックスの焼成条件を考慮する必要があり、フェライト−セラミックス界面での空隙、セラミックスの膨張・収縮応力によるフェライトのクラック等発生の頻度は少なくないと思われる。
【００２４】
また、低周波材と称されるＭｎ−Ｚｎ系フェライトは、磁気特性のみを考えればコモンモードフィルタにおける使用周波数帯において、複数のコイルにおける導体の１ライン毎に発生するマイナーループを抑制し、コイルの磁束結合を高めるという要求を満たすものと思われる。しかしながら、コイルを構成する導体の周辺以外の部分に用いるＮｉ系フェライト（大気雰囲気焼成）とコイルを構成する導体の周辺部分に用いるＭｎ系フェライト（窒素雰囲気焼成）の焼成雰囲気が異なることになり、同時焼成は不可である問題がある。また、この場合ＮｉとＭｎで悪影響を及ぼす反応が起きる可能性大であるため、同時焼成は難しい等の問題点も存在する。
【００２５】
上記に対し、Ｎｉ−Ｃｕ−Ｚｎフェライトを用いた場合には、焼結の場合にフェライト同士であることからクラッシュ等の危険が少なく、また焼結の雰囲気や不要な反応の可能性も低く好適である。
【００２６】
図１に示すように二次コイル２の上方には、フェライトシート５が被せられる。フェライトシート５には、二次コイル２の引出線に対応してビアホール５Ａ、５Ａが穿設されており、フェライトシート５の上に載置される端子電極６、６の端部が上記ビアホール５Ａ、５Ａを介して接続されるように構成されている。
【００２７】
また、一次コイル１の下方には、フェライトシート７が設けられ、一次コイル１がフェライトシート７上に載置される。フェライトシート７には、一次コイル１の引出線に対応してビアホール７Ａ、７Ａが穿設されており、フェライトシート７の下方に設けられる端子電極９、９の端部が上記ビアホール７Ａ、７Ａを介して接続されるように構成されている。
【００２８】
端子電極６、６の上方には、複数枚のフェライトシート１０が載置され、また端子電極９、９は下方に設けられる複数枚のフェライトシート１１の上に載置されている。
【００２９】
上記のように構成されている結果、本実施例の積層コモンモードフィルタは、複数枚のフェライトシート１１の上に端子電極９、９が載置され、その上に端子電極９、９と一次コイル１とを絶縁するフェライトシート７が設けられ、このフェライトシート７の上に一次コイル１が載置される。
【００３０】
一次コイル１の上方には、低周波材層３を介して二次コイル２が設けられ、上記二次コイル２の上方には、フェライトシート５を介して端子電極６、６が設けられ、この端子電極６、６の上方には、複数枚のフェライトシート１０が載置されている。
【００３１】
端子電極６、６の端部は、フェライトシート５と複数枚のフェライトシート１０の端縁まで延びており、外部と電気的接続が可能となっている。また、端子電極９、９の端部は、フェライトシート７と複数枚のフェライトシート１１の端縁まで延びており、外部と電気的接続が可能となっている。
【００３２】
以上のように構成された積層コモンモードフィルタは、内部を透視して示した平面図が図２の如くなり、二次コイル２（一次コイル１も同様に）が平面内において渦巻状に巻回されている。そして、図２のＩ−Ｉ’線による断面図である図３に示すように、一次コイル１と二次コイル２における個々の導体が、低周波材層３と隣接する。係る構成の積層コモンモードフィルタにおいて、一次コイルと二次コイルに発生する磁束結合の値を計数化して図５に示す。図５に明らかなように１０ＭＨｚ以下の範囲では結合係数は０．６程度であり、結合が非常に低いことが分かる。一方、１０ＭＨｚより高い周波数範囲（数百ＭＨｚまで）では、結合係数の上昇傾向が見られる。これは１０ＭＨｚ以下の範囲では、低周波材層３を除くフェライト（フェライトシート５、７、１０、１１）の透磁率μが約３０であり、低周波材層３を構成するＮｉ−Ｃｕ−Ｚｎフェライトの透磁率μが６００である。１０ＭＨｚより高い周波数範囲においては、低周波材層３を除くフェライトの透磁率μが相変わらず約３０であるのに対し、低周波材層３を構成するＮｉ−Ｃｕ−Ｚｎフェライトの透磁率μが０となり、マイナーループの発生が抑制される。この変化が図６（ａ）と図６（ｂ）に現されている。１０ＭＨｚより高い周波数範囲においては、一次コイル１と二次コイル２の磁束２０は図６（ｂ）に示すように結合が高まり、コモンモードフィルタとして好適な特性を示す。
【００３３】
また、二次コイル２（一次コイル１も同様に）が平面内において渦巻状に巻回された構成であるため、縦方向にコイルを巻回して、例えば一周毎にフェライトシートを介装させる構造に比べて、各コイルを一度の巻線印刷工程にて作製することができ製造を容易とする効果を有する。また、導体を積層方向へ渦巻くように積層して構成するものに比べて、導体間のシートの厚み等による絶縁のばらつきや積層される各導体における巻線印刷位置のばらつきを押さえることができ、短絡が少なく特性がより一定である積層コモンモードフィルタを提供することができる。
【００３４】
更に、低周波材層３に設けられた窓４は、上下方向からフェライトシートが入り込むために、一次コイル１と二次コイル２及び低周波材層３を除く部分が図３の断面図に示すように全てフェライトとなり、ドラムコアとリングコアによるコアと同様な構成を提供し、磁束の流れが理想的となり、ノーマルモード特性の低減を図ることが可能である。
【実施例２】
【００３５】
図７に第２の実施例に係る積層コモンモードフィルタの組立斜視図を示す。この積層コモンモードフィルタは図９に示すように、第１のコイル１と第２のコイル２を、積層方向に螺旋状となるように導体を積層して構成し、第１のコイルと第２のコイルを構成する各導体の間に、コモンモードフィルタにおける使用周波数帯において、磁路を形成するフェライト材の共鳴周波数よりも低い周波数で共鳴を迎えるフェライト材による低周波材層３を設けたものである。
【００３６】
２次コイルを形成するために、図７に示すシート３１〜３４が用いられる。最上部のシート３１は、巻線の１／２ターン分のパターン３１ａと外部の端子に接続するリード部３１ｂとからなる銀ペーストで形成された巻線部を有し、上記巻線部の周囲を囲繞する破線の領域は、低周波材部３５であり、巻線部の表面も低周波材部３５により被覆されている。巻線部におけるリード部３１ｂとは異なる端部３１ｃにおいては、銀ペーストが露出するかビアホールが設けられるなどにより、下方のシート３２の巻線部と電気的結合が得られるように構成されている。低周波材部３５の外側は、磁路を形成するフェライト材３６により構成されている。
【００３７】
シート３２においては、巻線の１／２ターン分のパターン３２ａが銀ペーストにより構成されており、その一端部３２ｂは、銀ペーストが露出するかビアホールが設けられるなどにより、上方のシート３１の巻線部と電気的結合が得られるように構成されており、また、その他端部３２ｃは、銀ペーストが露出するかビアホールが設けられるなどにより、下方のシート３３の巻線部と電気的結合が得られるように構成されている。巻線部の周囲を囲繞する破線の領域は、低周波材部３５であり、巻線部の表面も低周波材部３５により被覆されている。低周波材部３５の外側は、磁路を形成するフェライト材３６により構成されている。
【００３８】
シート３３においては、巻線の１／２ターン分のパターン３３ａが銀ペーストにより構成されており、その一端部３３ｂは、銀ペーストが露出するかビアホールが設けられるなどにより、上方のシート３２の巻線部と電気的結合が得られるように構成されており、また、その他端部３３ｃは、銀ペーストが露出するかビアホールが設けられるなどにより、下方のシート（３２と同様のシート）の巻線部と電気的結合が得られるように構成されている。巻線部の周囲を囲繞する破線の領域は、低周波材部３５であり、巻線部の表面も低周波材部３５により被覆されている。低周波材部３５の外側は、磁路を形成するフェライト材３６により構成されている。
【００３９】
シート３３の下方には、シート３２と同様のシート及びシート３３と同様のシートによるペアが所要組連続し、最下部にシート３４が配置される。シート３４は、巻線の１／２ターン分のパターン３４ａと外部の端子に接続するリード部３４ｂとからなる銀ペーストで形成された巻線部を有し、上記巻線部の周囲を囲繞する破線の領域は、低周波材部３５であり、巻線部の表面も低周波材部３５により被覆されている。巻線部におけるリード部３４ｂとは異なる端部３４ｃにおいては、銀ペーストが露出するかビアホールが設けられるなどにより、上方のシート（３３と同様のシート）の巻線部と電気的結合が得られるように構成されている。低周波材部３５の外側は、磁路を形成するフェライト材３６により構成されている。
【００４０】
シート３４の下方には、１次コイルを形成するために、シート３１Ａ、３２〜３３、３４Ａが用いられる。シート３１Ａは、シート３１とほぼ同一の構成であり、リード部３１Ａｂの形成位置が僅かに異なるだけである。またシート３４Ａは、シート３４とほぼ同一の構成であり、リード部３４Ａｂの形成位置が僅かに異なるだけである。シート３２と同様のシート及びシート３３と同様のシートによるペアが所要組連続することも、２次コイルの構成と同様である。
【００４１】
以上の２次コイルを形成するためのシート３１〜３４と、１次コイルを形成するためのシート３１Ａ、３２〜３３、３４Ａを積層して接着することにより、第２の実施例に係る積層コモンモードフィルタが出来上がる。巻線部がそれぞれ、第１のコイル１と第２のコイル２となり、低周波材部３５の集合により低周波材層３が構成される。
【００４２】
上記第２の実施例に係る積層コモンモードフィルタの平面図を図８に、Ａ−Ａ断面図を図９に、Ｂ−Ｂ断面図を図１０に示す。この構成によっても、磁束の結合を高くすることができ、ノーマルモード特性の低減を図ることが可能である。３８は外部電極を示している。
【実施例３】
【００４３】
図１１に第３の実施例に係る組立斜視図を示す。この積層コモンモードフィルタは、第１のコイルと第２のコイルを、積層方向と直交する方向に螺旋状となるように導体を積層して構成し、第１のコイルと第２のコイルを構成する各導体の間に、コモンモードフィルタにおける使用周波数帯において、磁路を形成するフェライト材の共鳴周波数よりも低い周波数で共鳴を迎えるフェライト材による低周波材層を設けたものである。この第３の実施例は巻線コイルで例えると、ドラムコアの巻枠に相当する部分に低周波材を配置して、第１のコイルと第２のコイルを巻回した如くの構成となっている。
【００４４】
具体的には次のように構成されている。この積層コモンモードフィルタの形状は、直方体の形状を呈する。本積層コモンモードフィルタの上部と下部には、複数のフェライトシート１０、１１が配置される。複数のフェライトシート１０の下には、中央部における長方形の領域が低周波材層４１ａとなっており、低周波材層４１ａの周囲が高周波材層４１ｂとされたシート４１が設けられる。また、複数のフェライトシート１１の上にもシート４１が設けられる。
【００４５】
上側のシート４１の下には、コイルの一側部における数条の巻線が設けられたシート４２が配置される。このシート４２には二条の低周波材層４２ａが設けられている。低周波材層４２ａは、シート４１における低周波材層４１ａが構成する長方形領域の長辺を長辺とし、組み立てられたときに縦方向に延びる巻線部分の周囲を覆うに十分な長方形領域に設けられている。低周波材層４２ａ、４２ａ間を、第１のコイル１を構成する数条の巻線４２ｃと第２のコイル２を構成する数条の巻線４２ｄとが設けられている。このシート４２における２条の低周波材層４２ａと巻線４２ｃ、４２ｄ以外の領域は、高周波材層４２ｂとなっている。
【００４６】
下側のシート４１の上には、基本的にシート４２と同一構成のシート４２Ａが設けられる。このシート４２Ａにおいては、第１のコイル１を構成する数条の巻線４２ｃにおいて、巻線の始端巻線と終端巻線とがシート４２Ａの側縁まで延びており、同様に第２のコイル２を構成する数条の巻線４２ｄにおいて、巻線の始端巻線と終端巻線とがシート４２Ａの側縁まで延びており、端子に接続される。
【００４７】
上記のシート４２とシート４２Ａとの間には、複数枚のシート４３が積層配置される。シート４３は、組み立てられたときに縦方向に延びる巻線部分をスライスしたものに対応する導体４３ｃ、導体４３ｄが設けられている。低周波材層４３ａと高周波材層４３ｂとは、シート４２、４２Ａにおける低周波材層４２ａと高周波材層４２ｂと同様の構成となっている。
【００４８】
シート４２、４３、４２Ａと重ねられたときに、シート４２の巻線４２ｃとシート４３の導体４３ｃとシート４２Ａの巻線４２ｃとが接続されて第１のコイル１が構成されると共に、シート４２の巻線４２ｄとシート４３の導体４３ｄとシート４２Ａの巻線４２ｄとが接続されて第２のコイル２が構成される。
【００４９】
第３の実施例に係る積層コモンモードフィルタの一部を透視して示した平面図を図１２に、図１２におけるＡ−Ａ断面図を図１３に、図１２におけるＢ−Ｂ断面図を図１４に示す。第１のコイル１を構成する巻線の周囲及び第２のコイル２を構成する巻線の周囲は、全て低周波材３により覆われている。５１は高周波材を示し、５２は外部電極を示す。この構成によっても、他の実施例に係る積層コモンモードフィルタと同様に磁束の結合を高くすることができ、ノーマルモード特性の低減を図ることが可能である。
【産業上の利用可能性】
【００５０】
積層構造を有する本発明に係るコモンモードフィルタは、巻線構造のコモンモードフィルタと同様に各種の電子回路に適用することが可能である。
【図面の簡単な説明】
【００５１】
【図１】本発明の第１の実施例に係る積層コモンモードフィルタの組立斜視図。
【図２】本発明の第１の実施例に係る積層コモンモードフィルタの平面図。
【図３】図２の積層コモンモードフィルタにおけるＩ−Ｉ’断面図。
【図４】本発明において低周波材として用いるフェライトの一例と、磁路を形成するフェライトの一例について透磁率変化を示す図。
【図５】本発明の第１の実施例に係る積層コモンモードフィルタにおける結合係数の周波数変化を示す図。
【図６】本発明の第１の実施例に係る積層コモンモードフィルタにおける周波数変化に対応する磁束の流れ変化を示す図。
【図７】本発明の第２の実施例に係る積層コモンモードフィルタの組立斜視図。
【図８】本発明の第２の実施例に係る積層コモンモードフィルタの平面図。
【図９】本発明の第２の実施例に係る積層コモンモードフィルタのＡ−Ａ断面図。
【図１０】本発明の第２の実施例に係る積層コモンモードフィルタのＢ−Ｂ断面図。
【図１１】本発明の第３の実施例に係る積層コモンモードフィルタの組立斜視図。
【図１２】本発明の第３の実施例に係る積層コモンモードフィルタの平面図。
【図１３】本発明の第３の実施例に係る積層コモンモードフィルタのＡ−Ａ断面図。
【図１４】本発明の第３の実施例に係る積層コモンモードフィルタのＢ−Ｂ断面図。
【図１５】従来例に係る積層コモンモードフィルタの斜視図。
【図１６】従来例に係る積層コモンモードフィルタの平面図。
【図１７】図１６の積層コモンモードフィルタにおけるＡ−Ａ’断面図。
【符号の説明】
【００５２】
１  一次コイル
２  二次コイル
３  非磁性セラミックス層
４  窓
５  フェライトシート
５Ａ  ビアホール
６  端子電極
７  フェライトシート
７Ａ  ビアホール
１０、１１  フェライトシート
【図１】
2005142793.tif 000003
【図２】
2005142793.tif 000004
【図３】
2005142793.tif 000005
【図４】
2005142793.tif 000006
【図５】
2005142793.tif 000007
【図６】
2005142793.tif 000008
【図７】
2005142793.tif 000009
【図８】
2005142793.tif 000010
【図９】
2005142793.tif 000011
【図１０】
2005142793.tif 000012
【図１１】
2005142793.tif 000013
【図１２】
2005142793.tif 000014
【図１３】
2005142793.tif 000015
【図１４】
2005142793.tif 000016
【図１５】
2005142793.tif 000017
【図１６】
2005142793.tif 000018
【図１７】
2005142793.tif 000019